(57)【要約】【課題】傾斜照明における試料面での照明ムラを低減し、試料面の凹凸の観察に適した顕微鏡を提供する。【解決手段】試料１００１と対向して配置した対物レンズ５と、試料１００１と対物レンズ５との間の光軸に対して傾斜した方向から試料１００１に照明光を照射する光源６を含む傾斜照明手段８と、対物レンズ５を介して取り込まれる試料１００１の像を観察する観察手段４とを有する顕微鏡において、光源６と試料１００１との間の光路に設けた光拡散部材１００５を備え、光拡散部材１００５は、光源６から試料１００１への距離が長くなるに従って光源６から拡散面までの距離が長くなるように設ける。【選択図】図１
2010243924.tif 000002
【特許請求の範囲】
【請求項１】
試料と対向して配置した対物レンズと、前記試料と前記対物レンズとの間の光軸に対して傾斜した方向から前記試料に照明光を照射する光源を含む傾斜照明手段と、前記対物レンズを介して取り込まれる前記試料の像を観察する観察手段とを有する顕微鏡において、
前記光源と前記試料との間の光路に設けた光拡散部材を備え、
前記光拡散部材は、前記光源から前記試料への距離が長くなるに従って前記光源から拡散面までの距離が長くなるように設けられることを特徴とする顕微鏡。
【請求項２】
前記光拡散部材を回動して前記光拡散部材への前記照明光の入射角を変更する光拡散部材回動手段をさらに備えることを特徴とする請求項１に記載の顕微鏡。
【請求項３】
前記光拡散部材と前記傾斜照明手段とを位置決めしつつ相互に接続する接続手段をさらに備えることを特徴とする請求項２に記載の顕微鏡。
【請求項４】
前記光拡散部材を前記照明光の光軸に沿って移動させる光拡散部材移動手段をさらに備えることを特徴とする請求項１〜３のいずれか一つに記載の顕微鏡。
【請求項５】
前記光拡散部材は、拡散面の一端から他端へ向けて拡散の度合いが強くなる特性を有する部材であり、前記光拡散部材の一端を前記光源から前記試料への距離が長い側に、前記光拡散部材の他端を前記光源から前記試料への距離が短い側に配置したことを特徴とする請求項１〜４のいずれか一つに記載の顕微鏡。
【発明の詳細な説明】
【技術分野】
【０００１】
本発明は、対物レンズの外側から試料を傾斜照明する傾斜照明手段を備えた顕微鏡に関するものである。
【背景技術】
【０００２】
従来、対物レンズを通さずに試料に光を当てる傾斜照明手段を備えた顕微鏡が知られている（例えば、特許文献１参照）。こうした顕微鏡は、図１４に示すように、顕微鏡本体１とアーム部１８と架台１３と架台ベース部１４と支柱１５とからなり、接眼部４、顕微鏡用カメラ１００６および対物レンズ５を備える。試料１００１は対物レンズ５直下の架台１４上に載置されてあり、傾斜照明手段としての光源ユニット８は光源ユニット取付部２１に取り付けてある。光源ユニット８の光源６からの光は、コリメータレンズ１００４を介し、出射光軸１０５２に沿って試料１００１を斜め方向から照射するようになっている。
【０００３】
このような傾斜照明手段を備えた顕微鏡の利点の一つとして、照明光が観察対象の試料面に斜めに当たることで試料面での凹凸が影となって映し出されることが挙げられる。この影は、観察者が同一色の試料面における起伏形状を把握する際に特に有効である。
【０００４】
しかし、その反面、試料面と照明光の光源との距離が不均一となることに起因した傾斜照明特有の照明ムラが生じる。つまり、図１４に示すように、光源６から近い試料面１００１−１での照度に対し、光源６から遠い試料面１００１−２での照度が相対的に低くなる状態が生じる。こうした照明ムラが生じると、観察者は照明ムラを試料の特性から生じているものと誤解し、照明ムラを消そうとして試料を操作してしまうことがある。さらに、照明ムラが目視では認識できないレベルであっても、顕微鏡用のデジタルカメラによる画像では傾斜照明特有の照明ムラが生じることがある。このため、カメラを用いた観察の場合には目視による観察以上に誤解を招いてしまう。
【０００５】
そこで、特許文献２に示すような顕微鏡が提案されている。特許文献２の顕微鏡は、円環状に配置した複数の光源から光を当てることで試料面での照度の均一化を図り、傾斜照明特有の照明ムラを低減するものである。
【０００６】
【特許文献１】特開２００２−１３１６５２号公報
【特許文献２】特開２００８−１３９７０８号公報
【発明の開示】
【発明が解決しようとする課題】
【０００７】
しかしながら、上記の従来の特許文献２の顕微鏡では、円環状に配置した複数の光源から光が出射されるので、試料面が立体的であってもその影が形成されなくなったり、あるいは複数の方向に影が形成されてしまう。特に、同一色の試料面における凹凸を観察したい場合には、傾斜照明による影を作り出す必要があるのでこうした顕微鏡は適当ではない。
【０００８】
本発明は、上記実情に鑑みてなされたものであり、傾斜照明における試料面での照明ムラを低減し、試料面の凹凸の観察に適した顕微鏡を提供することを目的とする。
【課題を解決するための手段】
【０００９】
上記の目的を達成するために、本発明に係る顕微鏡は、試料と対向して配置した対物レンズと、前記試料と前記対物レンズとの間の光軸に対して傾斜した方向から前記試料に照明光を照射する光源を含む傾斜照明手段と、前記対物レンズを介して取り込まれる前記試料の像を観察する観察手段とを有する顕微鏡において、前記光源と前記試料との間の光路に設けた光拡散部材を備え、前記光拡散部材は、前記光源から前記試料への距離が長くなるに従って前記光源から拡散面までの距離が長くなるように設けられることを特徴とする。
【００１０】
また、本発明に係る顕微鏡は、上述した発明において、前記光拡散部材を回動して前記光拡散部材への前記照明光の入射角を変更する光拡散部材回動手段をさらに備えることを特徴とする。
【００１１】
また、本発明に係る顕微鏡は、上述した発明において、前記光拡散部材と前記傾斜照明手段とを位置決めしつつ相互に接続する接続手段をさらに備えることを特徴とする。
【００１２】
また、本発明に係る顕微鏡は、上述した発明において、前記光拡散部材を前記照明光の光軸に沿って移動させる光拡散部材移動手段をさらに備えることを特徴とする。
【００１３】
また、本発明に係る顕微鏡は、上述した発明において、前記光拡散部材は、拡散面の一端から他端へ向けて拡散の度合いが強くなる特性を有する部材であり、前記光拡散部材の一端を前記光源から前記試料への距離が長い側に、前記光拡散部材の他端を前記光源から前記試料への距離が短い側に配置したことを特徴とする。
【発明の効果】
【００１４】
本発明によれば、試料と対向して配置した対物レンズと、前記試料と前記対物レンズとの間の光軸に対して傾斜した方向から前記試料に照明光を照射する光源を含む傾斜照明手段と、前記対物レンズを介して取り込まれる前記試料の像を観察する観察手段とを有する顕微鏡において、前記光源と前記試料との間の光路に設けた光拡散部材を備え、前記光拡散部材は、前記光源から前記試料への距離が長くなるに従って前記光源から拡散面までの距離が長くなるように設けられるので、試料面の凹凸による影を残しつつ、光源から試料面への距離の差に起因する傾斜照明特有の照明ムラを低減することができる。
【発明を実施するための最良の形態】
【００１５】
以下に添付図面を参照しながら、本発明に係る顕微鏡の好適な実施の形態（実施の形態１〜４および変形例）について実体顕微鏡（以下、「顕微鏡」という。）を例にとり詳細に説明する。
【００１６】
（実施の形態１）
まず、本発明の実施の形態１の顕微鏡について説明する。図１は、本発明の実施の形態１の顕微鏡を示す側面図である。
【００１７】
図１に示すように、本発明の実施の形態１の顕微鏡は、顕微鏡本体１とアーム部１８と架台１３と架台ベース部１４とを備える。顕微鏡本体１には観察手段としての接眼部４と顕微鏡用カメラ１００６と対物レンズ５とがそれぞれ着脱可能に設けてある。アーム部１８の光源ユニット取付部２１には、傾斜照明手段としての光源ユニット８が着脱可能に接続してあり、対物レンズ５直下の架台ベース部１４上に載置した試料１００１に対して、斜め方向からの照明光を照射するようにしてある。
【００１８】
光源ユニット８は、光源６と、この光源６からの光を効率よく試料１００１に導くためのリフレクタ２０１と、コリメータレンズ１００４と、光拡散部材１００５とを格納する有底円筒状のユニットである。光拡散部材１００５は、光源６と試料１００１との間の光路に設けてあり、通過する光線について光源６から試料１００１への距離が長くなるに従って光源６から拡散面までの距離が長くなるように配置してある。
【００１９】
この光源ユニット８は、アーム部１８の光源ユニット取付部２１に光源ユニット取付部材２２を介して回動可能に固定してある。光ユニット取付部材２２は、光源ユニット８の斜めに延びる出射光軸１０５２を試料１００１に向けたまま保持するため、図１３の部分斜視図に示すように、アーム部１８を貫通して光源ユニット８の上側に設けたネジ穴２９に締結してある。
【００２０】
顕微鏡本体１は、図１に示すように、対物レンズ５を介した試料１００１の観察像を拡大操作するためのズームハンドル２を有するズーム部３と、対物レンズ５からの光路を接眼部４と顕微鏡用カメラ１００６とに切り換える光路切換レバー１００７とを備える。
【００２１】
架台１３は、架台ベース部１４に立設した支柱１５と、この支柱１５に対して上下移動可能に取り付けた焦準移動部１６と、焦準移動部１６を上下動するための焦準ハンドル１７とからなる。焦準移動部１６にはアーム部１８が連結され、アーム部１８には顕微鏡本体１がつまみ２８で固定してある。
【００２２】
焦準移動部１６は、コロガイド、ボールガイド、スライドアリなどの図示しない公知のガイドを介して支柱１５に取り付けられており、支柱１５に対して上下動可能となっている。この上下動の操作は、焦準ハンドル１７を回転させることによって、例えばラックピニオン等の公知の機構を介して操作できる。これにより、対物レンズ５と架台ベース部１４上の試料１００１との距離を調整して対物レンズ５のピントを合わせることができる。
【００２３】
上記の実施の形態１の構成の動作および作用について説明する。
光拡散部材１００５は、光源６から試料１００１までの距離が長くなるに従い光源６から拡散面までの距離が長くなるように配置してある。これにより光源６から近い試料面１００１−１に照射される光の減衰は、光源６から遠い試料面１００１−２に照射される光の減衰よりも大きくなる。
【００２４】
この光の減衰の差により、図１２（ａ）の照度分布に示すように、光拡散部材１００５のない状態で試料面１００１−２と試料面１００１−１との間に生じていた照度のムラが、図１２（ｂ）の照度分布に示すように、光拡散部材１００５を設置することによって低減される。
【００２５】
したがって、光拡散部材１００５による光の減衰の差により試料１００１内での照度が均一化され、光源６から試料１００１までの距離の違いによる照明ムラが低減される。また、光源６が１箇所なので試料１００１の凹凸による影が一方向にのみ形成され、この影によって試料１００１の凹凸を観察することも可能である。
【００２６】
（実施の形態１の変形例）
次に、実施の形態１を変形した変形例について図２を用いて説明する。図２は、本発明の実施の形態１の変形例の顕微鏡を示す側面図である。
【００２７】
図２に示すように、本発明の実施の形態１の変形例の顕微鏡は、顕微鏡本体１とアーム部１８と架台１３と架台ベース部１４とを備える。顕微鏡本体１には観察手段としての接眼部４と顕微鏡用カメラ１００６と対物レンズ５とがそれぞれ着脱可能に設けてある。アーム部１８の光源ユニット取付部２１には、傾斜照明手段としての光源ユニット８が着脱可能に接続してあり、対物レンズ５直下の架台ベース部１４上に載置した試料１００１に対して、斜め方向からの照明光を照射するようにしてある。
【００２８】
光源ユニット８は、光源６と、この光源６からの光を効率よく試料１００１に導くためのリフレクタ２０１と、コリメータレンズ１００４とを含む。光拡散部材１００５は、光源ユニット８の下部外側における光源６と試料１００１との間の光路に設けてあり、通過する光線について光源６から試料１００１への距離が長くなるに従って光源６から拡散面までの距離が長くなるように配置してある。
【００２９】
光拡散部材１００５は、光拡散部材回動手段としての光拡散部材アーム１０１０の下部に接着やビス留めなどの手段により固定してある。光拡散部材アーム１０１０の上部はアーム部１８に回動可能に固定してある。より具体的には、アーム部１８には図示しないアーム雌ネジがあり、光拡散部材アーム１０１０には図示しない穴がある。光拡散部材アーム取付部材１０１１の先端の雄ネジが光拡散部材アーム１０１０の穴を通りアーム部１８の図示しないアーム雌ネジに締結してある。
【００３０】
上記の実施の形態１の変形例の構成の動作および作用について説明する。
光拡散部材１００５は、光源６から試料１００１までの距離が長くなるに従い光源６から拡散面までの距離が長くなるように配置してある。これにより光源６から近い試料面１００１−１に照射される光の減衰は、光源６から遠い試料面１００１−２に照射される光の減衰よりも大きくなる。また、光拡散部材１００５は、光拡散部材アーム取付部材１０１１を軸として回動可能であることから、出射光軸１０５２に対する傾斜角度を調整することにより、光の減衰度合いを試料１００１の大きさ等に応じて調整することもできる。
【００３１】
こうすることで、上記の実施の形態１と同様の効果を得ることができる。さらに、光拡散部材１００５を光源ユニット８の外部に配置することにより、光源ユニット８をコンパクトにすることができる。また光拡散部材１００５のみ着脱することもできる。
【００３２】
（実施の形態２）
次に、本発明の実施の形態２の顕微鏡について、図３〜図５を用いて説明する。図３は、本発明の実施の形態２の顕微鏡を示す側面図である。図４は、本発明の実施の形態２の顕微鏡における光源ユニットを示す側断面図である。図５は、本発明の実施の形態２の顕微鏡における光源ユニットを示す下面図である。
【００３３】
図３に示すように、本発明の実施の形態２の顕微鏡は、顕微鏡本体１とアーム部１８と架台１３と架台ベース部１４とを備える。顕微鏡本体１には観察手段としての接眼部４と顕微鏡用カメラ１００６と対物レンズ５とがそれぞれ着脱可能に設けてある。アーム部１８の光源ユニット取付部２１には、傾斜照明手段としての光源ユニット８が着脱可能に接続してあり、対物レンズ５直下の架台ベース部１４上に載置した試料１００１に対して、斜め方向からの照明光を照射するようにしてある。
【００３４】
図４および図５に示すように、光源ユニット８は、光源６と、この光源６からの光を効率よく試料１００１に導くためのリフレクタ２０１と、コリメータレンズ１００４と、光拡散部材１００５とを格納する有底円筒状のユニットである。光源ユニット８の周面の対向する位置には出射光軸１０５２と平行に延びる長孔１０２０がそれぞれ形成してあり、光拡散部材１００５の両端に設けた光拡散部材回動手段および光拡散部材移動手段としてのつまみ１０２１およびネジ１０２２は、長孔１０２０を通って光源ユニット８の外にそれぞれ出ている。ネジ１０２２は光源ユニット８の外でナット１０２３に締結してある。なお、つまみ１０２１およびネジ１０２２は、接着などの固定手段により光拡散部材１００５に固定してある。
【００３５】
光拡散部材１００５は、光源６と試料１００１との間の光路に設けてあり、通過する光線について光源６から試料１００１への距離が長くなるに従って光源６から拡散面までの距離が長くなるように配置してある。
【００３６】
この光源ユニット８は、アーム部１８の光源ユニット取付部２１に光源ユニット取付部材２２を介して回動可能に固定してある。光ユニット取付部材２２は、光源ユニット８の斜めに延びる出射光軸１０５２を試料１００１に向けたまま保持するため、図１３の部分斜視図に示すように、アーム部１８を貫通して光源ユニット８の上側に設けたネジ穴２９に締結してある。
【００３７】
顕微鏡本体１は、図３に示すように、対物レンズ５を介した試料１００１の観察像を拡大操作するためのズームハンドル２を有するズーム部３と、対物レンズ５からの光路を接眼部４と顕微鏡用カメラ１００６とに切り換える光路切換レバー１００７とを備える。
【００３８】
架台１３は、架台ベース部１４に立設した支柱１５と、この支柱１５に対して上下移動可能に取り付けた焦準移動部１６と、焦準移動部１６を上下動するための焦準ハンドル１７とからなる。焦準移動部１６にはアーム部１８が連結され、アーム部１８には顕微鏡本体１がつまみ２８で固定してある。
【００３９】
焦準移動部１６は、コロガイド、ボールガイド、スライドアリなどの図示しない公知のガイドを介して支柱１５に取り付けられており、支柱１５に対して上下動可能となっている。この上下動の操作は、焦準ハンドル１７を回転させることによって、例えばラックピニオン等の公知の機構を介して操作できる。これにより、対物レンズ５と架台ベース部１４上の試料１００１との距離を調整して対物レンズ５のピントを合わせることができる。
【００４０】
上記の実施の形態２の構成の動作および作用について説明する。
光拡散部材１００５のつまみ１０２１を回転させてナット１０２３を緩めることにより、つまみ１０２１とネジ１０２２を繋ぐ直線を回転軸として光拡散部材１００５を回転することができる。また、出射光軸１０５２に平行な長孔１０２０に沿って光拡散部材１００５を移動することができる。
【００４１】
このため、図３に示すように、光源ユニット取付部材２２を緩めて光源ユニット８をアーム部１８に対して回転させることによって光源６から試料１００１までの距離が変化した場合であっても、つまみ１０２１を回して光拡散部材１００５の傾斜角度を調整することにより、図４に示すように、光拡散部材１００５の一方の端点１００５−１での光の減衰と、他方の端点１００５−２での光の減衰を調整できる。
【００４２】
これにより光源６からの距離の違いに起因する試料１００１での照明ムラが解消され、上記の実施の形態１と同様の効果を得ることができる。また、長孔１０２０に沿って光拡散部材１００５を移動させることにより、光源６から光拡散部材１００５までの距離を変えることができる。ここで、光源６からの距離が近い位置にあるほど光拡散部材１００５による照射光の拡散の度合いが強くなり試料１００１での照度が減少するので、光拡散部材１００５の傾斜角度はそのままにして長孔１０２０に沿って光拡散部材１００５を移動させることにより観察面での明るさの調整ができる。
【００４３】
（実施の形態２の変形例）
次に、本発明の実施の形態２の変形例の顕微鏡について、図６および図７を用いて説明する。図６は、本発明の実施の形態２の変形例の顕微鏡を示す側面図である。
【００４４】
図６に示すように、本発明の実施の形態２の変形例の顕微鏡は、顕微鏡本体１とアーム部１８と架台１３と架台ベース部１４とを備える。顕微鏡本体１には観察手段としての接眼部４と顕微鏡用カメラ１００６と対物レンズ５とがそれぞれ着脱可能に設けてある。アーム部１８の光源ユニット取付部２１には、傾斜照明手段としての光源ユニット８が着脱可能に接続してあり、対物レンズ５直下の架台ベース部１４上に載置した試料１００１に対して、斜め方向からの照明光を照射するようにしてある。
【００４５】
光源ユニット８は、光源６と、この光源６からの光を効率よく試料１００１に導くためのリフレクタ２０１と、コリメータレンズ１００４とを含む。光拡散部材１００５は、光源ユニット８の下部外側における光源６と試料１００１との間の光路に設けられ、光拡散部材回動手段としてのフレキシブルアーム１０３１を介してアーム部１８に回転可能に接続してある。光拡散部材１００５は、通過する光線について光源６から試料１００１への距離が長くなるに従って光源６から拡散面までの距離が長くなるように配置してある。
【００４６】
フレキシブルアーム１０３１は、光拡散部材固定具１０３０と、アーム部材１０３２と、アーム設置部材１０３３と、固定部材１０３４、１０３５、１０３６とから構成される。光拡散部材１００５は、光拡散部材固定具１０３０に接着やビス留めなどの手段を用いて固定され、光拡散部材固定具１０３０とアーム部材１０３２は固定部材１０３４により、アーム部材１０３２とアーム設置部材１０３３は固定部材１０３５により、アーム設置部材１０３３とアーム部１８は固定部材１０３６によりそれぞれ回転可能に固定してある。
【００４７】
上記の実施の形態２の変形例の構成の動作および作用について説明する。
固定部材１０３４を緩めると、光拡散部材固定具１０３０は固定部材１０３４を軸として回転可能な状態となる。固定部材１０３５を緩めると、アーム部材１０３２が固定部材１０３５を軸として回転可能な状態となる。固定部材１０３６を緩めると、アーム設置部材１０３３が固定部材１０３６を軸として回転可能な状態となる。
【００４８】
ここで、光源ユニット取付部材２２を緩め、光源ユニット８をアーム部１８に対して回転させて、光源６から試料１００１までの距離が変化した際にも、光拡散部材固定具１０３０を回転させることで上記の実施の形態１と同様の効果を得ることができる。
【００４９】
また、アーム部材１０３２およびアーム設置部材１０３３を回転させると、図７に示すように、フレキシブルアーム１０３１の形状が変わり、光源６から光拡散部材１００５までの距離を変えることができる。光拡散部材固定具１０３０の回転で光拡散部材１００５の傾斜角度を調整することで光拡散部材１００５の一方の端点１００５−１での光の減衰と、他方の端点１００５−２での光の減衰を調整でき、上記の実施の形態２と同様に試料面１００１での明るさの調整ができる。
【００５０】
また、光拡散部材１００５を光源ユニット８の外部に設けたので、上記の実施の形態１の変形例と同様に光源ユニット８をコンパクトにすることができ、光拡散部材１００５のみを顕微鏡本体１から着脱することもできる。ここで、光源６を移動させる自由度が大きくなった場合でも、フレキシブルアーム１０３１を変形させる自由度を大きくした構成にすることで同様の効果を得ることができる。
【００５１】
（実施の形態３）
次に、本発明の実施の形態３の顕微鏡について、図８および図９を用いて説明する。図８は、本発明の実施の形態３の顕微鏡を示す側面図である。
【００５２】
図８に示すように、本発明の実施の形態３の顕微鏡は、顕微鏡本体１とアーム部１８と架台１３と架台ベース部１４とを備える。顕微鏡本体１には観察手段としての接眼部４と顕微鏡用カメラ１００６と対物レンズ５とがそれぞれ着脱可能に設けてある。アーム部１８の光源ユニット取付部２１には、傾斜照明手段としての光源ユニット８が着脱可能に接続してあり、対物レンズ５直下の架台ベース部１４上に載置した試料１００１に対して、斜め方向からの照明光を照射するようにしてある。
【００５３】
光源ユニット８は、光源６と、この光源６からの光を効率よく試料１００１に導くためのリフレクタ２０１と、集光レンズ１００４とを格納する有底円筒状のユニットである。この光源ユニット８は、アーム部１８の光源ユニット取付部２１に光源ユニット取付部材２２を介して回動可能に固定してある。光ユニット取付部材２２は、光源ユニット８の斜めに延びる出射光軸１０５２を試料１００１に向けたまま保持するため、図１３の部分斜視図に示すように、アーム部１８を貫通して光源ユニット８の上側に設けたネジ穴２９に締結してある。
【００５４】
光拡散部材１００５は、図８に示すように、光源ユニット８の下部外側における光源６と試料１００１との間の光路に設けられ、通過する光線について光源６から試料１００１への距離が長くなるに従って光源６から拡散面までの距離が長くなるように配置してある。この光拡散部材１００５は、接続手段としてのアーム設置部材１０３３を介して光源ユニット８に接続してある。
【００５５】
より具体的には、光拡散部材１００５の一方の端部は光拡散部材固定具１０３０に固定され、光拡散部材固定具１０３０は、連結部材１０４４を介してアーム設置部材１０３３の下端に回転可能に接続してある。アーム設置部材１０３３の上端は、固定部材１０４６を介して光源ユニット８に嵌合などの固定手段で繋げてある。
【００５６】
一方、アーム部１８には保持部材１０４０が固定され、保持部材１０４０には略斜めに延びる溝１０４１が形成してある。光拡散部材１００５の他方の端部にはローラー１０４２が設けてあり、ローラー１０４２は溝１０４１内のレール１０４３に摺動可能に嵌めてある。
【００５７】
顕微鏡本体１は、対物レンズ５を介した試料１００１の観察像を拡大操作するためのズームハンドル２を有するズーム部３と、対物レンズ５からの光路を接眼部４と顕微鏡用カメラ１００６とに切り換える光路切換レバー１００７とを備える。
【００５８】
架台１３は、架台ベース部１４に立設した支柱１５と、この支柱１５に対して上下移動可能に取り付けた焦準移動部１６と、焦準移動部１６を上下動するための焦準ハンドル１７とからなる。焦準移動部１６にはアーム部１８が連結され、アーム部１８には顕微鏡本体１がつまみ２８で固定してある。
【００５９】
焦準移動部１６は、コロガイド、ボールガイド、スライドアリなどの図示しない公知のガイドを介して支柱１５に取り付けられており、支柱１５に対して上下動可能となっている。この上下動の操作は、焦準ハンドル１７を回転させることによって、例えばラックピニオン等の公知の機構を介して操作できる。これにより、対物レンズ５と架台ベース部１４上の試料１００１との距離を調整して対物レンズ５のピントを合わせることができる。
【００６０】
上記の実施の形態３の構成の動作および作用について説明する。
光源ユニット取付部材２２を緩めると、光源ユニット８は光源ユニット取付部材２２を軸として回転可能な状態となる。アーム設置部材１０３３は固定部材１０４６で光源ユニット８に接続してあるので、アーム設置部材１０３３は光源ユニット８と共に光源ユニット取付部材２２を軸として回転可能な状態となる。光源ユニット８を光源ユニット取付部材２２周りに回動すると、光源ユニット８に連動してアーム設置部材１０３３も回動し、光拡散部材１００５のローラー１０４２がレール１０４３上を摺動する。
【００６１】
この場合、例えば、図８の状態から光源ユニット８を反時計回りに回転させると、図９に示すように、ローラー１０４２がレール１０４３上を右方向に移動し、光拡散部材１００５は、試料１００１に対する傾斜角度を回転前と同じ角度に保ちながら移動する。このようにすることで、図８および図９に示すように、対物レンズ５を対物レンズ５−１に変えて作動距離Ｄが作動距離Ｄ−１に変化した際にも、光源ユニット８の角度調整のみで上記の実施の形態１と同様の効果を得ることができ、光拡散部材１００５の角度調整をする手間が省ける。さらに、光拡散部材１００５が移動することにより光源ユニット８の回転による照射範囲全てを常に覆う必要がないので、光拡散部材１００５を小型化できる。光拡散部材１００５の小型化により試料１００１上の空間を確保できるので、例えば試料１００１の交換などの作業が容易となる。
【００６２】
（実施の形態４）
次に、本発明の実施の形態４の顕微鏡について、図１０および図１１を用いて説明する。図１０は、本発明の実施の形態４の顕微鏡を示す側面図である。図１１は、本発明の実施の形態４の顕微鏡における光拡散部材を示す上面図である。
【００６３】
図１０に示すように、本発明の実施の形態４の顕微鏡は、顕微鏡本体１とアーム部１８と架台１３と架台ベース部１４とを備える。顕微鏡本体１には観察手段としての接眼部４と顕微鏡用カメラ１００６と対物レンズ５とがそれぞれ着脱可能に設けてある。アーム部１８の光源ユニット取付部２１には、傾斜照明手段としての光源ユニット８が着脱可能に接続してあり、対物レンズ５直下の架台ベース部１４上に載置した試料１００１に対して、斜め方向からの照明光を照射するようにしてある。
【００６４】
光源ユニット８は、光源６と、この光源６からの光を効率よく試料１００１に導くためのリフレクタ２０１と、コリメータレンズ１００４と、光拡散部材１００５とを格納する有底円筒状のユニットである。光拡散部材１００５は、光源６と試料１００１との間の光路に設けてある。
【００６５】
ここで、図１１の上面図に示すように、光拡散部材１００５の拡散面での光の拡散度合いは、一端１０５０から円の直径方向に対向する他端１０５１へ向けて段階的に強くしてある。この光拡散部材１００５の拡散面は、光源６から試料１００１に延びる出射光軸１０５２に対し垂直に配置してあり、光源６から試料１００１までの距離が最長となる側に、光の拡散度合いが最も弱い一端１０５０が、光源６から試料１００１までの距離が最短となる側に、光の拡散度合いが最も強い他端１０５１が位置するようにしてある。
【００６６】
光源ユニット８は、アーム部１８の光源ユニット取付部２１に光源ユニット取付部材２２を介して回動可能に固定してある。光ユニット取付部材２２は、光源ユニット８の斜めに延びる出射光軸１０５２を試料１００１に向けたまま保持するため、図１３の部分斜視図に示すように、アーム部１８を貫通して光源ユニット８の上側に設けたネジ穴２９に締結してある。
【００６７】
顕微鏡本体１は、図１０に示すように、対物レンズ５を介した試料１００１の観察像を拡大操作するためのズームハンドル２を有するズーム部３と、対物レンズ５からの光路を接眼部４と顕微鏡用カメラ１００６とに切り換える光路切換レバー１００７とを備える。
【００６８】
架台１３は、架台ベース部１４に立設した支柱１５と、この支柱１５に対して上下移動可能に取り付けた焦準移動部１６と、焦準移動部１６を上下動するための焦準ハンドル１７とからなる。焦準移動部１６にはアーム部１８が連結され、アーム部１８には顕微鏡本体１がつまみ２８で固定してある。
【００６９】
焦準移動部１６は、コロガイド、ボールガイド、スライドアリなどの図示しない公知のガイドを介して支柱１５に取り付けられており、支柱１５に対して上下動可能となっている。この上下動の操作は、焦準ハンドル１７を回転させることによって、例えばラックピニオン等の公知の機構を介して操作できる。これにより、対物レンズ５と架台ベース部１４上の試料１００１との距離を調整して対物レンズ５のピントを合わせることができる。
【００７０】
上記の実施の形態４の構成の動作および作用について説明する。
光拡散部材１００５の拡散面は、光源６から試料１００１までの距離が最長となる側に、光の拡散度合いが最も弱い一端１０５０を、光源６から試料１００１までの距離が最短となる側に、光の拡散度合いが最も強い他端１０５１を配置することで、光源６から近い試料面１００１−１に照射される光の減衰が、光源６から遠い試料面１００１−２に照射される光の減衰よりも大きくなる。
【００７１】
このようにすることで、上記の実施の形態１と同様の効果に加え、光拡散部材１００５を小型にできるので、光拡散部材１００５を格納する光源ユニット８の大型化を回避することができる。これにより架台ベース部１４上の空間は、光拡散部材１００５の設置前後で大きく変化せず、観察者による試料へのアクセスに支障を来すこともない。
【図面の簡単な説明】
【００７２】
【図１】本発明の実施の形態１の顕微鏡の一例を示す側面図である。
【図２】本発明の実施の形態１の変形例の顕微鏡の一例を示す側面図である。
【図３】本発明の実施の形態２の顕微鏡の一例を示す側面図である。
【図４】本発明の実施の形態２の顕微鏡における光源ユニットの側断面図である。
【図５】本発明の実施の形態２の顕微鏡における光源ユニットの下面図である。
【図６】本発明の実施の形態２の変形例の顕微鏡の一例を示す側面図である。
【図７】本発明の実施の形態２の変形例の顕微鏡の一例を示す側面図であり、光拡散部材を光源から離した状態の図である。
【図８】本発明の実施の形態３の顕微鏡の一例を示す側面図である。
【図９】本発明の実施の形態３の顕微鏡の一例を示す側面図であり、図８とは異なる作動距離を持つ対物レンズとした状態の図である。
【図１０】本発明の実施の形態４の顕微鏡の一例を示す側面図である。
【図１１】本発明の実施の形態４の顕微鏡における光拡散部材の上面図である。
【図１２】試料面内における照度分布の一例を示す平面図であり、（ａ）は光拡散部材を設けない場合の図であり、（ｂ）は光拡散部材を設けた場合の図である。
【図１３】アーム部に取り付けられる光源ユニットの部分斜視図である。
【図１４】従来の顕微鏡の側面図である。
【符号の説明】
【００７３】
１  顕微鏡本体
２  ズームハンドル
３  ズーム部
４  接眼部（観察手段）
５  対物レンズ
６  光源
８  光源ユニット（傾斜照明手段）
１３  架台
１４  架台ベース部
１５  支柱
１６  焦準移動部
１７  焦準ハンドル
１８  アーム部
２１  光源ユニット取付部
２２  光源ユニット取付部材
２８  つまみ
２９  ネジ穴
２０１  リフレクタ
１００１  試料
１００４  コリメータレンズ
１００５  光拡散部材
１００６  顕微鏡用カメラ（観察手段）
１００７  光路切換レバー
１０１０  光拡散部材アーム（光拡散部材回動手段）
１０１１  光拡散部材アーム取付部材
１０２０  長孔
１０２１  つまみ
１０２２  ネジ
１０２３  ナット
１０３０  光拡散部材固定具
１０３１  フレキシブルアーム（光拡散部材回動手段）
１０３２  アーム部材
１０３３  アーム設置部材（接続手段）
１０３４，１０３５，１０３６  固定部材
１０４０  保持部材
１０４１  溝
１０４２  ローラー
１０４３  レール
１０４４  連結部材
１０５２  出射光軸
【図１】
2010243924.tif 000003
【図２】
2010243924.tif 000004
【図３】
2010243924.tif 000005
【図４】
2010243924.tif 000006
【図５】
2010243924.tif 000007
【図６】
2010243924.tif 000008
【図７】
2010243924.tif 000009
【図８】
2010243924.tif 000010
【図９】
2010243924.tif 000011
【図１０】
2010243924.tif 000012
【図１１】
2010243924.tif 000013
【図１３】
2010243924.tif 000014
【図１４】
2010243924.tif 000015
【図１２】
2010243924.tif 000016